(57)【特許請求の範囲】
【請求項１】
電動口腔衛生デバイス収納容器であって、
取り外し可能な電動口腔衛生デバイスと、
第１のケーシング部と、
少なくとも第２のケーシング部と、
を備え、
前記第１及び第２のケーシング部が、前記電動口腔衛生デバイスを前記容器から取り外すことができる開容器状態と、前記電動口腔衛生デバイスが前記容器の内部に固定される閉容器状態と、を可能にするように機械的に連結され、
前記容器が、前記電動口腔衛生デバイスを充電するための充電ユニットと、前記充電ユニットにエネルギーを供給するために前記第１又は第２のケーシング部の外面に実現される電気入力コネクタと、前記第１又は第２のケーシング部の外面に実現される少なくとも１つの電気出力コネクタと、を更に有し、前記充電ユニットが、前記電気入力コネクタで受け取った前記エネルギーを前記電気出力コネクタ経由で外部デバイスに供給するために配置されるとともに、
前記容器が、取り外し可能な表示デバイスを保持するために少なくとも１つの受け構造を有し、とりわけ、前記第１及び第２のケーシング部のそれぞれにおいて、受け構造が、前記取り外し可能な表示デバイスを前記開容器状態で保持するように配置され、
前記受け構造は、前記電動口腔衛生デバイスの交換ヘッドを収納する一対の凹部を相互に連結する連結凹部により形成される、
電動口腔衛生デバイス収納容器。
【請求項２】
前記電気出力コネクタが、規格化されたコネクタとして設計される、請求項１に記載の電動口腔衛生デバイス収納容器。
【請求項３】
前記充電ユニットが、前記電気入力コネクタを経由して前記充電ユニットに及び前記電気出力コネクタに供給される前記エネルギーの供給を制御するように配置される充電優先順位付けユニットを備え、とりわけ、前記充電優先順位付けユニットが、前記電動口腔衛生デバイスの充電状態に応じて前記エネルギーの供給を制御するように配置される、請求項１又は２に記載の電動口腔衛生デバイス収納容器。
【請求項４】
前記充電優先順位付けユニットを手動で無効にするために配置されるユーザー入力ユニットを更に備える、請求項３に記載の電動口腔衛生デバイス収納容器。
【請求項５】
前記充電ユニット及び／又は前記充電ユニットによって実行される充電プロセスの状態に関する聴覚、視覚、又は触覚フィードバックのうちの少なくとも１つを提供するために少なくとも１つのフィードバック素子を更に備え、とりわけ、前記フィードバック素子が前記容器の外面に配置される、請求項１〜４のいずれか一項に記載の電動口腔衛生デバイス収納容器。
【請求項６】
前記充電ユニット又は前記充電優先順位付けユニットは、前記聴覚、視覚、又は触覚フィードバックのうちの少なくとも１つを提供するために前記電動口腔衛生デバイスに配置されるフィードバック素子を、前記フィードバック素子として用いるように配置される、請求項３又は請求項４に従属する場合の請求項５に記載の電動口腔衛生デバイス収納容器。
【請求項７】
内部エネルギー源、とりわけ再充電可能な蓄電池又は交換可能な電池を更に備える、請求項１〜６のいずれか一項に記載の電動口腔衛生デバイス収納容器。
【請求項８】
前記充電ユニットが、エネルギーが前記電気入力コネクタ経由で供給されるときに前記蓄電池を選択的に充電するように、又は前記蓄電池から引き出されたエネルギーを前記電気出力コネクタ経由で供給するように配置される、請求項７に記載の電動口腔衛生デバイス収納容器。
【請求項９】
前記電動口腔衛生デバイスの少なくとも一部分を消毒するために消毒ユニットを更に備える、請求項１〜８のいずれか一項に記載の電動口腔衛生デバイス収納容器。
【請求項１０】
前記消毒ユニットがＵＶ光源を備える、請求項９に記載の電動口腔衛生デバイス収納容器。
【請求項１１】
前記消毒ユニットが、前記前記電動口腔衛生デバイスの交換ヘッドを収納する一対の前記凹部に配置される、請求項９又は請求項１０に記載の電動口腔衛生デバイス収納容器。
【請求項１２】
前記受け構造が、前記第１のケーシング部に設けられる切り欠き部と、前記第２のケーシング部にある凹部と、を備え、とりわけ、前記第２のケーシング部が、前記凹部が設けられるインレイを備える、請求項１１に記載の電動口腔衛生デバイス収納容器。
【請求項１３】
湿気除去システム、及び／又は能動的若しくは受動的通気システムを更に備え、とりわけ、前記湿気除去システムが吸湿材のリザーバを備え、とりわけ、前記リザーバが、交換可能となるように配置されるか、又は前記吸湿材を交換することができるように配置される、請求項１〜１２のいずれか一項に記載の電動口腔衛生デバイス収納容器。
【請求項１４】
少なくとも前記電動口腔衛生デバイスを収納するために少なくとも１つの交換可能なインレイを更に備える、請求項１〜１３のいずれか一項に記載の電動口腔衛生デバイス収納容器。
【請求項１５】
請求項１〜１４のいずれか一項に記載の電動口腔衛生デバイス収納容器と、前記容器の前記電気入力コネクタと接続可能な電気出力コネクタを有するエネルギー供給ユニットと、を備え、前記エネルギー供給ユニットの前記電気出力コネクタ及び前記容器の前記電気入力コネクタが、規格外の連結相手として設計される、キット。
【発明の詳細な説明】
【技術分野】
【０００１】
本発明は、電動口腔衛生デバイス収納容器に関するものであり、この収納容器は、容器内に配設される電動口腔衛生デバイスを充電するための充電ユニットと、充電ユニットにエネルギーを供給するための電気入力コネクタと、を有する。
【背景技術】
【０００２】
電動口腔衛生デバイス収納容器が、充電ユニットと、充電ユニットにエネルギーを供給するための電気入力コネクタと、を装備できることは周知である。米国特許出願公開第２０１４／１５０１８９（Ａ１）号に、そのような電動口腔衛生デバイス収納容器が概ね論じられている。
【先行技術文献】
【特許文献】
【０００３】
【特許文献１】米国特許出願公開第２０１４／１５０１８９（Ａ１）号
【発明の概要】
【発明が解決しようとする課題】
【０００４】
本開示の目的は、周知の容器よりも改良された電動口腔衛生デバイス収納容器を提供すること、又はそのような容器の少なくとも代替的な実現をもたらす電動口腔衛生デバイス収納容器を提供することである。
【課題を解決するための手段】
【０００５】
一態様によれば、取り外し可能な電動口腔衛生デバイスと、第１のケーシング部と、少なくとも第２のケーシング部と、を有する、電動口腔衛生デバイス収納容器が提供され、その第１及び第２のケーシング部が、電動口腔衛生デバイスを容器から取り外すことができる開容器状態と、電動口腔衛生デバイスが容器の内部に固定される閉容器状態と、を可能にするように機械的に連結され、容器が、電動口腔衛生デバイスを選択的に充電するための充電ユニットと、充電ユニットにエネルギーを供給するために第１又は第２のケーシング部の外面に実現される電気入力コネクタと、第１又は第２のケーシング部の外面に実現される少なくとも１つの電気出力コネクタと、を更に有し、充電ユニットが、電気入力コネクタで受け取ったエネルギーを電気出力コネクタ経由で外部デバイスに選択的に供給するために配置される。
【０００６】
一態様によれば、本開示に記載されるような電動口腔衛生デバイス収納容器と、容器の電気入力コネクタと接続可能な電気出力コネクタを有するエネルギー供給ユニットと、を備える、キットが提供され、エネルギー供給ユニットの電気出力コネクタ及び容器の電気入力コネクタが、規格外の連結相手として設計される。
【図面の簡単な説明】
【０００７】
本開示は、例示的実施形態の詳細な説明及び図面の参照により、更に明瞭にされる。図中、
【図１】例示的な電動口腔衛生デバイス収納容器を閉状態で描写したものである。
【図２】図１に示される電動口腔衛生デバイス収納容器を開状態で描写したものであり、容器に収納される電動口腔衛生デバイスは図示されていない。
【図３】図１及び２に示される電動口腔衛生デバイス収納容器の例示的な外側側壁を描写したものであり、電気入力コネクタ及び電気出力コネクタが更なる任意選択の要素と共に実現されている。
【図４】図２に示される電動口腔衛生デバイス収納容器を描写したものであるが、電動口腔衛生デバイス及び電動口腔衛生デバイス用の交換ヘッドが電動口腔衛生デバイス収納容器に収納されている。
【図５】電動口腔衛生デバイス収納容器を描写したものであり、例示的な実施形態においてこのような容器に実現され得る様々な任意選択の要素が表示されている。
【図６】例示的な電動口腔衛生デバイス収納容器と、エネルギー供給ユニットと、を備える、キットを描写したものである。
【図７】提案の電動口腔衛生デバイス収納容器の例示的な実施形態において存在し得る、考えられる様々な電気部品及びこれらの部品間の電気接続を模式的に描写したものである。
【発明を実施するための形態】
【０００８】
本開示によれば、電動口腔衛生デバイス収納容器（以下、「電動口腔衛生デバイス収納容器」は「容器」と略す）は、既に述べたように、ケーシングの第１又は第２の部分の外面に配置される少なくとも１つの電気出力コネクタを備える。これにより、取り外し可能な電動口腔衛生デバイスを収納するため及びそれを充電するためだけでなく、外部デバイス、例えばスマートフォン、タブレットコンピュータ、ポケットランプ、活動量計など、を充電することにも容器を使用することができるようになり、その結果、容器の多用途性が向上する。記載の容器はとりわけ、旅行時に使用され得る（加えて、容器は、電動口腔衛生デバイス用の交換ヘッド、デンタルフロスリザーバなど、更なる部品を収納するように装備され得る）。電動口腔衛生デバイス（用語「電動口腔衛生デバイス」は、完全なデバイスはもとより、交換式ヘッドを取り付け可能なかかるデバイスのハンドル、及び存在する場合は少なくとも１つの交換可能なヘッドをも意味するものであることを理解されたい）が充電中のとき、例えばしばらく旅行した後でホテルの部屋にいるとき、外部デバイスもまた、容器の電気出力コネクタと容易に接続することが可能であり、したがって、この外部デバイス用に更なる充電デバイスを携帯する手間を省くことができる。電気出力コネクタはとりわけ、規格化されたコンセント（例えば雄型又は雌型のコネクタ又はプラグ）として、例えばＵＳＢ若しくはミニＵＳＢコンセントとして、又は（例えば２．１ｍｍ又は２．５ｍｍピンサイズの）ＤＣコネクタとして配置され得る。幾つかの実施形態では、電気出力コネクタは、誘導電気出力コネクタとして配置される（例えば、このとき、電気出力コネクタは、Ｑｉ規格に従って誘導電気エネルギー伝達ユニットとして設計されてもよく、又は、電気出力コネクタは、Ｅｎｅｒｇｙ  Ｍａｔｔｅｒｓ  Ａｌｌｉａｎｃｅ規格に従って設計されてもよい）。
【０００９】
本明細書に記載の容器は、例えば少なくとも１つのヒンジを用いて、及び代替的に又は追加的に少なくとも１つのスナップ式又は他の方式のロック又は締め付け接続によって機械的に接続される第１のケーシング部と第２のケーシング部とを有するケーシングを備え、その結果、容器は、電動口腔衛生デバイスを容器内に配設すること又はそれを容器から取り出すことができる開位置に、及び、例えば旅行時に、電動口腔衛生デバイスを容器の内部に固定することができる閉位置になることができる。幾つかの実施形態では、第１又は第２のケーシング部の少なくとも一方は、少なくとも電動口腔衛生デバイスを収納するための凹部を有するインレイを備える。インレイは、例えば洗浄するために、又は形状の異なる電動口腔衛生デバイスに容器を適合させるために（即ち、その結果、少なくとも２つの異なるインレイが提供される）、交換可能となるように配置されてもよい。インレイは、例えば、電動口腔衛生デバイスと共に使用される交換ヘッドなどの他の部品を収納するために更なる凹部を備えてもよい。
【００１０】
本明細書に記載の容器は、電気入力コネクタと、電動口腔衛生デバイスを選択的に充電するための充電ユニットと、を備える（充電ユニットは、ケーシングの閉状態でしか充電機能を使用できないように配置され得るが、幾つかの実施形態では、ケーシングの開状態でも充電が可能である）。電気入力コネクタは、任意の周知の、とりわけ規格化された様式で（例えば、ＵＳＢ、ミニＵＳＢ、又はＤＣコネクタとして）配置され得るが、幾つかの実施形態では、電気入力コネクタは、プロプライエタリな（即ち、規格外の）接続として配置される。そのような設計によると、電気入力コネクタは、対応のプロプライエタリな（相補的な）連結相手としか連結することができず、その結果、確定した（とりわけ、防水の）接続のみを容器とエネルギー源（例えばコンセント）との間に確立することができる。したがって、規制上及び安全上の要件を満たすことを実現することができる。充電ユニットは、（直接電気接続も企図されるが）とりわけ誘導方式でエネルギーを電動口腔衛生デバイスに供給することができる。容器は、電動口腔衛生デバイスの相補的な凹部内に配設されるピンを備えてもよく、このピンは、充電ユニットの誘導エネルギー伝送器（例えばコイル）に対して電動口腔衛生デバイスを正確に位置決めするのに役立ち得る。
【００１１】
キットは、前述したように、本明細書に記載の容器と、容器の電気入力コネクタと接続可能な電気出力コネクタを有するエネルギー供給ユニットと、を備えて提供することができる。更にまた、湿潤環境で使用するための電気安全バリアをエネルギー供給ユニットに実装することができ、エネルギー供給ユニットは、コンセントによって供給される高ＡＣ電圧をより低い（例えば３〜１２Ｖの）ＤＣ電圧に変換する。
【００１２】
幾つかの実施形態では、充電ユニットは、電気入力コネクタを経由して充電ユニットに、次いで、充電ユニットを経由して選択的に電気出力コネクタに供給されるエネルギーの供給を選択的に制御するために、充電優先順位付けユニットを備える。充電優先順位付けユニットは、電動口腔衛生デバイスの充電用に、及び電気出力コネクタに接続される外部デバイスの充電用に選択的にエネルギーを供給するための事前にプログラムされた（又はハードワイヤードの）規則を適用するように配置されてもよい（任意選択的には、エネルギーはまた、更なるユニット、例えば、消毒ユニット、フィードバック素子、又は電動ファン、に供給されてもよく、これらのユニットは後で詳述する）。充電優先順位付けユニットによって適用される１つの規則としては、電動口腔衛生デバイスが容器から取り外されている場合には、又は電動口腔衛生デバイスが完全に若しくは十分に充電済みである場合には（即ち、電動口腔衛生デバイスの充電状態に応じた選択）、電気入力コネクタ経由で供給されるエネルギーは、電気出力コネクタへと直接送られる。次いで、電気出力コネクタと接続された外部デバイスは、例えば、外部デバイスを充電するために、電気エネルギーの供給を受けることができる。充電優先順位付けユニットによって適用され得る更なる規則では、電動口腔衛生デバイスがまだ充電を必要としている場合には、電気出力コネクタへのエネルギー供給を抑制しても、断続的になるように制御して、電動口腔衛生デバイスの充電が優先されるようにしてもよい。
【００１３】
幾つかの実施形態では、容器は、ユーザーが充電ユニットの優先順位付けを設定することができる、又は充電優先順位付けユニットが存在する場合にそれを無効にすることができる、ユーザー入力ユニット（例えば、スイッチ、又は外部デバイスからの信号を受信するための無線受信機ユニット）を備える。ユーザー入力ユニットは、ユーザーが充電優先順位付けユニットを再プログラムすることができるように配置されるものであってもよく、例えば、ユーザー入力ユニットは、Ｂｌｕｅｔｏｏｔｈ送信機を有するコンピュータからのコマンドを受信することができるＢｌｕｅｔｏｏｔｈ受信機であってもよい。そのようなユーザー入力ユニットによると、エネルギーが、電動口腔衛生デバイスの充電用の充電ユニットにではなく、電気出力コネクタに直接供給されて、結果として電気出力コネクタを手動で無効にすること（及び結果として、例えば、電動口腔衛生デバイスの充電よりも外部デバイスの充電を優先させること）が実現されてもよい。
【００１４】
幾つかの実施形態では、容器は、エネルギー源、具体的には再充電可能な蓄電池、又は電池などの交換可能なエネルギー源、を備える。充電ユニット（充電優先順位付けユニットによって制御され得る）は、電動口腔衛生デバイスを充電するために、及び／又は電気出力コネクタ経由で外部デバイスを充電するために、エネルギー源を使用してもよい（とりわけ、電気入力コネクタ経由でのエネルギーの供給がない場合）。再充電可能なエネルギー源の場合、エネルギー源が満充電ではないとき（とりわけ、電動口腔衛生デバイスが既に満充電であるとき）、充電ユニットは、エネルギー源を充電してもよい。充電優先順位付けユニットは、存在する場合、充電シーケンスの選択制御を引き受けてもよい。
【００１５】
幾つかの実施形態では、容器は、とりわけ充電ユニットの状態を示すために、少なくとも１つのフィードバック素子を更に備える（例えば、状態情報は、「無活動」フィードバック、「電動口腔衛生デバイスの充電進行中」フィードバック、「電動口腔衛生デバイスの充電完了」フィードバック、「電気出力コネクタで供給されるエネルギー」フィードバック、「内部蓄電池の充電進行中」フィードバック、又は「内部蓄電池が放電される」フィードバックのうちの少なくとも１つを含み得、使用可能なフィードバック表示のタイプは、容器の構成の種類によって明らかに制約され、例えば、再充電可能な蓄電池が存在しない場合、フィードバックの候補には、再充電可能な蓄電池に関連するフィードバックは含まれない）。フィードバック素子は、聴覚フィードバック、視覚フィードバック、又は触覚フィードバックのうちの少なくとも１つのために配置されてもよい。フィードバック素子は、（任意選択的には多色の）ＬＥＤなどの発光素子、放音素子（拡声器など、ただし、例えば、モータが使用されて音が発生することもある）、又は振動子素子（例えば、圧電振動子）であってもよい。フィードバック素子は、とりわけ視覚フィードバック素子の場合、容器の外面（外側表面）に配置されてもよい。幾つかの実施形態では、フィードバック素子は、取り外し可能な電動口腔衛生デバイスに配置され、これは、フィードバック機能を引き受けるために用いられ、例えば、電動口腔衛生デバイスのハウジングにおいて提供されるＬＥＤ（閉じた容器を通して見ることもでき得る）が視覚フィードバック用に使用されてもよく、又は電動口腔衛生デバイスのモータが触覚フィードバック及び／若しくは聴覚フィードバック用に使用されてもよい。
【００１６】
幾つかの実施形態では、容器は、電動口腔衛生デバイスの少なくとも一部、例えば、ブラシヘッドなど、電動口腔衛生デバイスの機能的なヘッド、を消毒するために配置される消毒ユニットを備える（この機能的なヘッドは、電動口腔衛生デバイスのハンドルに着脱可能であってもよく、またこの機能的なヘッドは、ハンドルから分離して容器に特に収納されてもよい）。例えば、消毒ユニットは、容器が閉じられたとき、消毒する電動口腔衛生デバイスの少なくとも一部の上に少量の消毒液を（例えば細かな噴霧の形態で）排出するために、排出器ユニット（例えば、圧電素子駆動式排出器ノズル）を備えてもよい。代替的に又は追加的には、消毒ユニットは、消毒する電動口腔衛生デバイスの少なくとも一部に向けて殺菌性紫外線を放出するために、ＵＶ光源を備えてもよい。
【００１７】
幾つかの実施形態では、容器は、容器が開位置にあるとき、容器が表示デバイスを支持することができるように、配置される。更にまた、容器は、表示デバイスを（とりわけ直立位置又はわずかに傾斜した位置で）保持するために少なくとも１つの受け構造を備える。少なくとも１つの保持構造は、特に特定形状の表示デバイスを所定の位置に保持するように配置されてもよい。幾つかの実施形態では、少なくとも２つの受け部が存在し、この受け部は、第１のケーシング部に設けられる切り欠き部と、第２のケーシング部にある凹部と、を備えてもよく、受ける表示デバイスの大きさに凹部を適合させることができるように、凹部は特に交換可能なインレイ内に設けられてもよい。保持する表示デバイスは、特にスマートフォンであってもよい。
【００１８】
幾つかの実施形態では、容器は、湿気除去システムを備える。湿気除去システムは、湿気除去の能動的及び／又は受動的手段を備えてもよい。幾つかの実施形態では、吸湿材のリザーバが、湿気除去システムとして提供される。更にまた、リザーバは、交換可能となるように配置されてもよく（例えば、リザーバは容器にスナップ接続されてもよい）、又はリザーバは、吸湿材を交換できるように配置されてもよい。吸湿材は、シリカゲルであってもよいが、他の周知の吸湿材を使用することもできる。追加的に又は代替的に、容器は、能動的及び／又は受動的通気システム、例えば、少なくとも１つの通気口及び／又は電動ファン、を湿気除去システムとして備える。
【００１９】
幾つかの実施形態では、容器は、少なくとも１つの交換可能なインレイを装備する。例えば、ケーシング部の少なくとも１つは、インレイが内部にスナップ嵌合され得る又は圧入され得る、概ねシェル状の構造を有するように配置されてもよい。そのようなインレイは、特定の電動口腔衛生デバイスに適合されてもよい。インレイは、形状の異なる電動口腔衛生デバイスへの適合を可能とするように、変形可能な発泡材を備えてもよい。
【００２０】
図１は、提案の例示的な容器１を閉状態で描写したものである。容器１は、第１のケーシング部１０と、第２のケーシング部２０と、を有する。図示の実施形態では、任意選択のロック要素３０は、第１及び第２のケーシング部１０、２０を合わせて閉状態に維持しており、ユーザーは、ロック機能を解除し、容器１を開けるには、ロック要素３０を押すことが必要となり得る。ロック機能が解除されると、第１及び第２のケーシング部１０、２０が押し開けられるように、ばね要素が配置されてもよい。ロック要素３０は、第１及び第２のケーシング部１０、２０のいずれか一方に配置されてもよい。図示の実施形態では、容器１は、第１又は第２のケーシング部１０、２０のいずれか一方に取り付けられ得る、又はそれと一体的に接続され得る、側壁４１、４２を有する。一般に、ロック機能は、任意の好適な手段によって、例えば、スナップフック、磁気ロック、フック・ループ式ファスナー、接着接続、圧入接続などによって、実現され得る。
【００２１】
図２は、第１のケーシング部１０（蓋又はカバーの機能を持つ）が起立位置にある開状態で、図１に示される容器１を描写したものである。取り外し可能な電動口腔衛生デバイスは、容器１の他の部品を見せるために、図２に示されていない。図４は、容器の内側空洞に配設される取り外し可能な電動口腔衛生デバイスを含む完全な容器の図である。第１のケーシング部１０は、表示デバイス（例えばスマートフォン）を受けて、表示デバイスを直立位置又は傾斜した位置に維持するのに役立ち得る切り欠き部１１を有してもよい。図示の実施形態では、貫通孔１２が第１のケーシング部１０に設けられており、この貫通孔１２は、ロック要素３０の突起部を受け入れるのに役立ち得る。薄い材料のストリップ部５０は、図示の実施形態において、第１のケーシング部１０と第２のケーシング部２０との間に配置されるヒンジ（ここではフィルムヒンジ）の役割を果たす。任意の他のタイプのヒンジ、例えば、リビングヒンジ、ピボットヒンジ、摩擦ヒンジ、自閉式ヒンジなどもまた企図される。
【００２２】
第２のケーシング部２０は、図示の実施形態において、容器１の収納部分の役割を果たす。第２のケーシング部２０は、側壁４１及び４２と共に、シェル状のトレイを形成する。インレイ２００は、このトレイに挿入される。インレイ２００は、特には交換可能なインレイであり、その結果、洗浄することが可能になり、又は別のインレイに交換することで、他の物品を収納するように容器を適合させたり、汚れたインレイを新品のインレイに交換したりすることもできるようになる。インレイ２００は、４つの凹部２０１、２０２、２０３、２０４を有し、そのうちの凹部２０２、２０３、及び２０４は相互連結される。一般に、インレイ２００は少なくとも１つの凹部を有してもよいが、任意の他の数の凹部を有することも可能である。凹部２０１は、取り外し可能な電動口腔衛生デバイスを収納するために成形される（図４を参照されたい）。３つの相互連結される凹部２０２、２０３、及び２０４は、電動口腔衛生デバイス用の交換ヘッド（図４を参照されたい）を外側の凹部２０２及び２０３に収納するように成形される。相互連結された凹部の中央部分２０４は、表示デバイスを受けることができるように成形され、この場合、表示デバイスは、相互連結された凹部の中央部分２０４によって、及び任意選択的には第１のケーシング部にある切り欠き部１１によっても、支持されるであろう。図示された例示的な容器の左手側では、ボックス２０５が容器の残りの空間を占めており、図示の実施形態におけるこのボックス２０５は、以下に説明されるように、充電ユニット及び任意選択的に少なくとも１つの更なる電気部品を収納するように配置される。幾つかの実施形態では、充電ユニットは、インレイ２００の下の空きスペースに、又は第１のケーシング部１０などに収納される。ピン２３３はボックス２０５から延出しており、このピン２３３は、凹部２０１に収納される電動口腔衛生デバイスの凹部に受け入れることができるように成形される。この場合、ピン２３３は、電動口腔衛生デバイスを誘導充電に最適な位置に保持するのに役立つ。ボックス２０５に収納され得る充電ユニット及び任意選択的に少なくとも１つの更なる任意選択の電気部品への参照は、以下の説明において図３〜６を参照してなされるが、容器１の充電ユニット及び少なくとも１つの任意選択の更なる電気部品の幾つかの例示的な実施形態は、更に以下で図７に関連して説明される。
【００２３】
図３は、図２に示される容器の左手側（即ち、充電ユニットを収納するボックス２０５が配置される側）に配置される側壁４２の外面を描写したものである。側壁４２は、容器の外面の一部であり、第２のケーシング部２０の一部分である。側壁４２は、電気入力コネクタ２１０と、電気出力コネクタ２２０と、発光素子として実現されてもよいが、聴覚フィードバック素子（例えば拡声器）又は触覚フィードバック素子（例えば振動子素子）として代替的に又は追加的に実現され得る、任意選択のフィードバック素子２３５と、ここでは、以下で図７に関連して説明されるような、標準充電方式を手動で無効にするためのスイッチとして実現される、任意選択のユーザー入力ユニット２４５と、を有する。一般に、電気入力コネクタ及び電気出力コネクタ（並びに更なる任意選択の要素）は、容器の任意の外面にそれぞれ配置されてもよく、図３は単に特定の実施例を示しているだけである。
【００２４】
図４は、図２に示される容器を、凹部２０１に収納された電動口腔衛生デバイス４００（ここでは、電動歯ブラシのハンドル）と共に描写したものである。電動口腔衛生デバイス４００は、照光式スイッチ４２０を有してもよい。破線により、ボックス２０５は、特に、電動口腔衛生デバイス４００内に提供される再充電可能な電池を充電するために、少なくとも、例えば、図３に示されるような電気入力コネクタ２１０を経由してエネルギーを受け取る充電ユニット２３０を備え得ることが示され、またこの充電ユニット２３０は、（例えば、図３に示されるような）電気出力コネクタ２２０においてエネルギーを選択的に供給するようにも配置される。電動口腔衛生デバイス４００用の交換ヘッド５００は、凹部２０２に収納される。
【００２５】
図５は、幾つかの任意選択の特徴を有する例示的な容器１Ａを描写したものである。容器１Ａは、エネルギーを貯蔵するために、破線で描かれている蓄電池（再充電可能な電池）を備えてもよいことが示されており、その結果、外部エネルギー源（例えばコンセント）への接続が存在しない状況であっても、容器１Ａの電動要素にエネルギーを供給することができる。容器１Ａが湿気除去システム２６０及び／又は消毒ユニット２７０を備えてもよいことは、実施例を通じて示されている。湿気除去システム２６０は、（１）少なくとも１つの通気口２６１、（２）ここではファンとして実現される、能動的に駆動する通気ユニット２６２、又は（３）吸湿材２６４を備えるリザーバ２６３、のうちの少なくとも１つを備えてもよい。消毒ユニット２７０は、（１）ＵＶ発光素子２７１（例えばＵＶ  ＬＥＤ）又は（２）消毒液の噴霧を生成するための噴霧ユニット（例えば圧電駆動式噴霧ノズル）の少なくとも一方を備えてもよく、噴霧ユニットは消毒液のリザーバを備えてもよい。
【００２６】
図６は、電動口腔衛生デバイス４００（ここでもハンドルとして実現される）、及び電動口腔衛生デバイス４００用の交換ヘッド５００を収納する提案の容器１と、エネルギー供給ユニット６００と、を備えるキット２を描写したものであり、エネルギー供給ユニット６００は、ここでは、ＡＣ−ＤＣ又はＡＣ−ＡＣ変圧器が含まれるエネルギープラグ６０１を有し、その結果、例えば１２ＶのＤＣ又はＡＣ電圧を、エネルギー供給ユニット６００の電気出力コネクタ６０２を経由して容器１の電気入力コネクタ２１０（図３）にて供給することができる。特に、エネルギー供給ユニット６００の電気出力コネクタ６０２及び容器１の電気入力コネクタ２１０は、防水接続を提供するエネルギー供給ユニット６００しか容器１に接続できないことを確実にするために、相補的な規格外のコネクタとして実現され、この容器１は典型的にはバスルームに配置され得る。
【００２７】
図７は、本明細書に記載される容器の考え得る電気部品及び電気接続を模式的に描写したものである。この描写は、提案の容器の全ての実施形態において必ずしも存在する必要のない様々な可能性を示しており、任意選択の特徴の任意の組み合わせが考慮されるべきである。提案の容器は、ケーシングの外面に配置される電気入力コネクタ２１０及び電気出力コネクタ２２０と、再充電可能な電池（蓄電池又は二次電池）などの再充電可能なエネルギー源４１０を備える電動口腔衛生デバイス４００を選択的に充電するための充電ユニット２３０と、を備える。電気入力コネクタ２１０は、コンセントなどのエネルギー源から、例えば、エネルギー供給ユニットを実現するＡＣ−ＤＣエネルギー変換器を経由して、エネルギーを受け取るために配置される。電気入力コネクタ２１０は、充電ユニット２３０と連結されて、エネルギーを充電ユニット２３０に供給する。充電ユニット２３０は、電気出力コネクタ２２０と連結され、電気出力コネクタ２２０にてエネルギーを選択的に供給するように配置される。
【００２８】
幾つかの実施形態では、容器は、充電ユニット２３０とそれぞれに電気的に連結され得る充電優先順位付けユニット２４０、ユーザー入力ユニット２４５、フィードバック素子２３５、再充電可能な電池２５０、湿気除去システム２６０及び／又は消毒ユニット２７０など、上述の部品の少なくとも１つと接続される少なくとも１つの更なる電気部品を備える。提案の容器は、こうした更なる電気部品のうちの１つ又は幾つか、及び対応の電気接続を備えてもよい。
【００２９】
幾つかの実施形態では、充電ユニット２３０は、電動口腔衛生デバイス４００の充電コイルに対する無線の誘導エネルギー伝達用に充電回路２３１及び充電コイル２３２を備えており、充電コイル２３２は、電動口腔衛生デバイス４００の形態適合凹部４０１内に滑り込むように適合されたピン状の構造２３３内に配置されてもよく、その結果、電動口腔衛生デバイス４００は、充電中に充電コイル２３２に対して確定した位置を有する。
【００３０】
幾つかの実施形態では、充電ユニット２３０は、電気入力コネクタ２１０を経由して受け取った、又は代替的に若しくは追加的に再充電可能なエネルギー源２５０から引き出したエネルギーの供給を優先順位付けするために、充電優先順位付けユニット２４０を備える。優先順位付けユニット２４０は、以下の優先順位付け規則の少なくとも１つを適用してもよく、これらの規則は、最初のデフォルト設定として存在しても、ユーザー入力ユニットを介して選択されてもよい（これらの規則は実施例として与えられるものであり、任意の他の優先順位付け規則が適用されてもよい）。
１．第１に、電動口腔衛生デバイス４００を満充電になるまで（又は所定の度合、例えば８０％の充電になるまで）充電し、その後、外部デバイスを充電するために、エネルギーがエネルギー出力部２２０を経由して供給される。したがって、接続された電気出力経由のエネルギーの供給は、電動口腔衛生デバイスの充電状態に応じて制御される。
２．電動口腔衛生デバイス４００が満充電になるまで（又は所定の度合、例えば８０％の充電になるまで）その充電用に第１の所定の間隔割合、例えば５０％又は８０％でエネルギーを断続的に供給し、更に、エネルギー出力部２２０を経由して、例えば５０％（第１の所定の間隔割合が５０％の場合）又は５０％未満（第１の所定の間隔割合が５０％の場合）の第２の所定の間隔割合でエネルギーを断続的に供給し、またこの場合は、例えば再充電可能な電池２５０を充電するために（そのようなものが存在する場合）、又は容器の他の負荷部（例えば、湿気除去システム２６０の電動ファン又は消毒ユニット２７０のＵＶ光源）に給電するために（そのようなものの１つが存在する場合）、残りの間隔割合、例えば１０％を使用する。
３．エネルギー出力部２２０に負荷が存在する場合、第１に、エネルギー入力部２１０を経由して受け取ったエネルギーをエネルギー出力部２２０にて供給する。
４．電気入力コネクタ２１０を経由して提供されるエネルギーがない場合、内部の再充電可能電池２５０からエネルギーを引き出す。
【００３１】
ユーザー入力ユニット２４５は、優先順位付け規則を切り替えるために、ユーザーが定義した優先順位付け規則によって優先順位付け規則を無効にするために、又は優先順位付けユニット２４０を再プログラムするために提供されてもよい。したがって、ユーザー入力ユニット２４５は、事前に定義された優先順位付け規則を切り替える単純なスイッチとして、又は（対応の再プログラム用アプリがロード済みである）スマートフォン、タブレット、若しくはコンピュータなどの外部デバイスを介して優先順位付けユニット２４０を無線で再プログラムするための、例えば、Ｂｌｕｅｔｏｏｔｈ対応の受信デバイスとして実現されてもよい。
【００３２】
容器は、例えば、既に説明した充電状態を示すために、フィードバック素子２３５を有してもよい。フィードバック素子２３５は、容器の外面に配置されてもよい。幾つかの実施形態では、充電ユニット２３０は、電動口腔衛生デバイス４００と制御可能に連結され、その結果、充電ユニット２３０は、取り外し可能な電動口腔衛生デバイス４００に配置されたフィードバック素子、例えば電動口腔衛生デバイス４００の発光素子４２０又はモータ４３０を使用して、視覚、聴覚、又は触覚フィードバックを提供することができる。
【００３３】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば「４０ｍｍ」として開示される寸法は、「約４０ｍｍ」を意味するものとする。
【図１】
0006591561.tif 000002
【図２】
0006591561.tif 000003
【図３】
0006591561.tif 000004
【図４】
0006591561.tif 000005
【図５】
0006591561.tif 000006
【図６】
0006591561.tif 000007
【図７】
0006591561.tif 000008